(57)【要約】      （修正有）【課題】  排塵処理室の上部に上部排塵口を設けることによって、揺動選別装置における穀粒と藁屑の選別効率を向上させることのできる脱穀装置を実現する。【解決手段】  扱室Ａの処理物の搬送下手側に排塵処理室Ｄを備え、グレンパン６からチャフシーブ７に移る処理物に向って選別風を供給する回転ファン１４を備えてある脱穀装置１において、排塵処理室Ｄの上部に機外に開放された上部排塵口４を備える。【選択図】図３
2008048620.tif 000002
【特許請求の範囲】
【請求項１】
扱室の処理物の搬送下手側に排塵処理室を備え、前記扱室の下方に揺動選別装置を備えて、前記揺動選別装置に、前記扱室から落下供給される処理物を受け止めて搬送しながら選別処理するグレンパンと、前記グレンパンから処理物を受け継いで搬送しながら選別処理するチャフシーブとを備え、前記扱室の搬送上手側下方に、前記グレンパンから前記チャフシーブに移る処理物に向って選別風を供給する回転ファンを備えてある脱穀装置であって、
前記排塵処理室の上部に機外に開放された上部排塵口を備えてある脱穀装置。
【請求項２】
前記上部排塵口に開閉可能な開閉部材を備えてある請求項１記載の脱穀装置。
【発明の詳細な説明】
【技術分野】
【０００１】
本発明は、グレンパンからチャフシーブに移る処理物に向って選別風を供給する回転ファンを備えてある脱穀装置に関する。
【背景技術】
【０００２】
従来の技術としては、例えば特許文献１に開示されているように、グレンパンからチャフシーブに移る処理物に向って選別風を供給する回転ファンを備えて、処理物に含まれる穀粒と藁屑を選別することができるように構成された脱穀装置が知られている。
【０００３】
【特許文献１】特開平１１−２２５５６１号公報
【発明の開示】
【発明が解決しようとする課題】
【０００４】
特許文献1に開示されているように、扱室の搬送上手側下方に回転ファンを備えて、グレンパンからチャフシーブに移る処理物に向って選別風を供給すると、この選別風は、扱室の搬送下手側端部の下方を通って、扱室の搬送下手側の排塵処理室の上部に向う。そうすると、処理物に含まれる藁屑は、この選別風によって排塵処理室の上部に向って搬送される。
しかし、従来の脱穀装置では排塵処理室の上部が機外に開放されていなかったため、回転ファンから供給された選別風によって排塵処理室の上部に搬送された藁屑は、排塵処理室の上部で行き場を失って、排塵処理室に設けた機器の上部（例えば、排塵ファンの上方に設けた上側ファンガイドの上部等）に堆積することがあった。特に、回転ファンの風量を強めた場合には、排塵処理室の上部に多くの藁屑が搬送されて、排塵処理室に設けた機器の上部に多くの藁屑が堆積することがあった。
【０００５】
排塵処理室に設けた機器の上部に堆積した藁屑が揺動選別装置に落下すると、穀粒と藁屑の選別に悪影響を及ぼし、効率的に穀粒と藁屑の選別を行う妨げになっていた。そのため、藁屑を含む選別風を排塵処理室の上部で行き場を失わせることなく無理なく機外へ導くことができるように構成すれば、排塵処理室の上部に搬送された藁屑を機外に排出することができて、排塵処理室に設けた機器の上部に藁屑が堆積することを防止することができる。そうすると、排塵処理室に設けた機器の上部に堆積した藁屑が揺動選別装置に落下することが少なくなって、揺動選別装置における穀粒と藁屑の選別効率を向上させることができると考えられる。
本発明は、排塵処理室の上部に上部排塵口を設けることによって、揺動選別装置における穀粒と藁屑の選別効率を向上させることのできる脱穀装置を実現することを目的とする。
【課題を解決するための手段】
【０００６】
［Ｉ］
（構成）
本発明の第１特徴は、扱室の処理物の搬送下手側に排塵処理室を備え、前記扱室の下方に揺動選別装置を備えて、前記揺動選別装置に、前記扱室から落下供給される処理物を受け止めて搬送しながら選別処理するグレンパンと、前記グレンパンから処理物を受け継いで搬送しながら選別処理するチャフシーブとを備え、前記扱室の搬送上手側下方に、前記グレンパンから前記チャフシーブに移る処理物に向って選別風を供給する回転ファンを備えてある脱穀装置において、次のように構成することにある。
前記排塵処理室の上部に機外に開放された上部排塵口を備える。
【０００７】
（作用）
本発明の第１特徴によると、扱室の搬送上手側下方に備えた回転ファンにより、グレンパンからチャフシーブに移る処理物に向って選別風が供給されると、この選別風は、処理物に含まれる藁屑とともに、扱室の搬送下手側端部の下方を通って、扱室の搬送下手側の排塵処理室の上部に向う。この排塵処理室の上部に供給された選別風は、排塵処理室の上部に備えた上部排塵口から藁屑とともに機外へ排出される。すなわち、藁屑を含む選別風を排塵処理室の上部で行き場を失わせることなく、排塵処理室の上部に備えた上部排塵口から無理なく機外へ導くことができて、排塵処理室の上部に搬送された藁屑を機外に排出することができる。
【０００８】
（発明の効果）
本発明の第１特徴によると、排塵処理室の上部に搬送された藁屑を機外に排出することができるため、排塵処理室に設けた機器の上部に藁屑が堆積することを防止することができる。そのため、堆積した藁屑が揺動選別装置に落下することが少なくなって、揺動選別装置における穀粒と藁屑の選別効率を向上させることができる。
【０００９】
［ＩＩ］
（構成）
本発明の第２特徴は、本発明の第１特徴の脱穀装置において、次のように構成することにある。
前記上部排塵口に開閉可能な開閉部材を備える。
【００１０】
（作用）
本発明の第２特徴によると、本発明の第１特徴と同様に前項［Ｉ］に記載の「作用」を備えており、これに加えて以下のような「作用」を備えている。
本発明の第２特徴によれば、上部排塵口に開閉可能な開閉部材を備えることにより、この開閉部材によって上部排塵口を開閉することができる。そのため、例えば、回転ファンの風量や処理物の処理量に応じて上部排塵口を開閉することができる。具体的には、回転ファンの風量や処理物の処理量が多く排塵処理室の上部に供給される藁屑の量が多い場合には、上部排塵口を機外に開いて、逆に、回転ファンの風量又は処理物の処理量が少なく排塵処理室の上部に供給される藁屑の量が少ない場合には、上部排塵口を閉じることができる。
【００１１】
（発明の効果）
本発明の第２特徴によると、本発明の第１特徴と同様に前項［Ｉ］に記載の「発明の効果」を備えており、これに加えて以下のような「発明の効果」を備えている。
本発明の第２特徴によると、回転ファンの風量や処理物の処理量に応じて上部排塵口を開閉できるため、排塵処理室の上部に搬送された藁屑を効率よく上部排塵口から機外に排出することができる。
【発明を実施するための最良の形態】
【００１２】
図１に、コンバインに搭載された脱穀装置１を示している。なお、この発明を実施するための最良の形態においては、脱穀装置１をコンバインに搭載した例を示すため、図１における左方が処理物の搬送上手側に相当し、図１における右方が処理物の搬送下手側に相当する（（図２〜図６においても同様）。以下の説明においては、処理物の搬送上手側を前方と、処理物の搬送下手側を後方と表示する。
【００１３】
図１〜図３に示すように、この脱穀装置１は、その上部側前方に扱室Ａ、中間部側に揺動選別装置Ｂ、下部側に回収装置Ｃ、扱室Ａの後方に排塵処理室Ｄを配設している。脱穀装置１には、刈取処理された穀稈をフィードチェーン２で挟持搬送しながら扱き処理する扱胴３を扱室Ａに軸架するとともに、扱き処理された処理物を漏下させる受網５を扱胴３の下方側に配設している。
【００１４】
揺動選別装置Ｂには、受網５から漏下した処理物を受け止めるグレンパン６と、このグレンパン６の後方に順に位置させたチャフシーブ７及びストローラック８と、チャフシーブ７の下方に位置するグレンシーブ９と、扱胴３の後端部下方でチャフシーブ７の上方に位置する第２グレンパン１５とを備え、前後揺動駆動されるシーブケース１６に架設されている。
【００１５】
回収装置Ｃには、グレンパン６の下方側に位置する唐箕１０と、グレンシーブ９の下方に位置しグレンシーブ９からの漏化物（一番物）を回収して横一側に横送りする一番物搬送スクリュ１１と、ストローラック８の下方に位置しグレンシーブ９やチャフシーブ７等からの漏化物（二番物）を回収して横一側に横送りする二番物搬送スクリュ１２と、一番物搬送スクリュ１１と二番物搬送スクリュ１２の間に位置し二番物搬送スクリュ１２の上方に向って選別風を供給する選別ファン１３が配設されている。
【００１６】
揺動選別装置Ｂの前部下方で唐箕１０の前方に回転ファン１４を備え、上側ファンケース１８と下側ファンケース１９に案内されてグレンパン６の終端部に向って選別風を供給するように構成されている。
【００１７】
排塵処理室Ｄには、扱胴３の後方に位置する回転胴１７を備え、扱胴３の後端部下方の送塵口２４から供給される処理物をこの回転胴１７によって解し処理し、塵埃から穀粒を取り出すように構成されている。回転胴１７の後方には排塵ファン２０が配設されており、この排塵ファン２０の前方から吸い込んだ藁屑を含む空気を、上側ファンガイド２１と下側ファンガイド２２に案内されて、機外に排出するように構成されている。
【００１８】
排塵ファン２０の下方に排塵口２３が設けられており、揺動選別装置Ｂの前部下方に位置する唐箕１０から、この排塵口２３に向って唐箕風を供給することで、処理物に含まれる穀粒と藁屑を選別することができるように構成されている。
【００１９】
排塵ファン２０の後方に排藁カッタ３０を備え、排藁チェーン３１によって後方に搬送されてきた藁を、この排藁カッタ３０で細断して機外に排出するように構成されている。
【００２０】
図４及び図５に示すように、扱室Ａの上部は扱室カバー２５で覆われており、排塵処理室Ｄの上部は排塵処理室カバー２６で覆われている。扱室Ａの前後には、前側板２７及び後側板２８を備え、この後側板２８によって扱室Ａと排塵処理室Ｄが仕切られている。さらに、扱室カバー２５及び排塵処理室カバー２６の上方は外装カバー２９で覆われている。
【００２１】
排塵処理室Ｄの上部に位置する排塵処理室カバー２６に開口部Ｌを加工することで上部排塵口４が形成されており、排塵処理室カバー２６及び外装カバー２９の後端部から排藁カッタ３０の後方に向って延出した排塵ダクト３２を介して、この上部排塵口４が機外に開放されるように構成されている。
【００２２】
上部排塵口４には、この上部排塵口４を開閉可能な板状の開閉部材３３を備え、開閉部材３３の前端部を支点として上下に揺動可能に支持されている。この開閉部材３３と排塵処理室カバー２６とに亘ってステー３４が取り付けられており、開閉部材３３側に設けた締付部材３５を緩めて調節することで、開閉部材３３の開閉度を調節できるように構成されている。このように、開閉部材３３の開閉度を調節可能に構成することにより、回転ファン１４の風量や処理物の処理量に応じて適切な開閉度に開閉部材３３を調節することができる。
【００２３】
上部排塵口４の上方に位置する外装カバー２９には上部メンテ口３６が形成されており、この上部メンテ口３６を上側から覆うようにメンテカバー３７が取り付けられている。メンテカバー３７は、メンテカバー３７の前端部を支点として上下に揺動可能に支持されており、メンテカバー３７の後部には、メンテカバー３７を閉めた状態で固定するためのロック具３８が取り付けられている。メンテカバー３７のロック具３８を解除した上で、メンテカバー３７を上方に開いて上部メンテ口３６を開放することで、この上部メンテ口３６の上方から開閉部材３３の開閉度を調節することができるようになっている。
【００２４】
図３に示すように、回転ファン１４によって、グレンパン６からチャフシーブ７に移る処理物に向って選別風が供給されると、この選別風は、処理物に含まれる藁屑とともに、扱室Ａの後方下方に位置する送塵口２４付近を通って排塵処理室Ｄの上部に向う。この排塵処理室Ｄの上部に供給された選別風は、排塵処理室Ｄの上部に備えた上部排塵口４から排塵ダクト３２を通って藁屑とともに機外へ排出される。そのため、藁屑が排塵処理室Ｄに設けた上側ファンガイド２１の上部等に堆積することを防止することができて、堆積した藁屑が揺動選別装置Ｂに落下することが少なくなり、揺動選別装置Ｂにおける穀粒と藁屑の選別効率を向上させることができると考えられる。
【００２５】
この脱穀装置１においては、扱胴３の後方に回転胴１７を備え、回転胴１７の後方に排塵ファン２０が配設されている。すなわち、排塵ファン２０によって排塵処理室Ｄ内の排塵を吸い込む位置に回転胴１７を配置しているため、この回転胴１７が排塵ファン２０で藁屑を吸い込む際の妨げになって、回転胴１７の上方に搬送された藁屑が機外に排出され難くなる。そのため、この脱穀装置１のように、排塵ファン２０の前方に回転胴１７が配置されている場合においては、上述した上部排塵口４から藁屑を機外に排出する構成を採用するとメリットが大きいと考えられる。
【００２６】
図６に、この脱穀装置１における揺動選別装置Ｂの駆動構造の概略を示す。図６に示すように、両端部を偏心させた駆動軸４０の中央部に回動自在にシーブケース１６が支持されており、この駆動軸４０の一端部に伝動機構４１を介して割りプーリ４２が連結されている。このように、割りプーリ４２に巻き掛ける伝動ベルト４３のベルト巻回径を電動モータ等のアクチュエータ（図示せず）によって変更可能に構成することにより、揺動選別装置Ｂの揺動速度を無段変速できるようになっている。
【００２７】
従来の揺動選別装置Ｂにおいては、揺動選別装置Ｂの揺動速度が一定で、その速度が比較的高めに設定されていた。そのため、例えば、処理物の処理量が少ない場合には、揺動選別装置Ｂの揺動速度が速すぎてシーブケース１６の上で穀粒が跳ねて、穀粒が機外に排出される３番ロスが多くなるといった問題があった。そこで、この脱穀装置１のように割りプーリ４２を用いて揺動選別装置Ｂの揺動速度を変速可能に構成することにより、例えば、処理物の処理量が多い場合には、揺動選別装置Ｂを早く揺動させて、逆に、処理物の処理量が少ない場合には、揺動選別装置Ｂを遅く揺動させることができる。すなわち、処理物の処理量に応じて揺動選別装置Ｂの揺動速度を変更することができる。そのため、例えば、上述した処理物の処理量が少ない場合における３番ロスを少なくすることができると考えられる。
【００２８】
［発明の実施の第１別形態］
前述の［発明を実施するための最良の形態］においては、排塵処理室Ｄの上部に位置する排塵処理室カバー２６に開口部Ｌを加工することで上部排塵口４を形成した例を示したが、開口部Ｌの寸法や形状は異なる寸法や形状であってもよい。
【００２９】
［発明の実施の第２別形態］
前述の［発明を実施するための最良の形態］及び［発明の実施の第１別形態］においては、板状に開閉部材３３を構成した例を示したが、開閉部材３３の形状等は異なる形状であってもよい。
【００３０】
また、開閉部材３３の開閉構造として、開閉部材３３の前端部を支点として上下に揺動可能に支持する例を示したが、上部排塵口４を開閉可能な構造であれば異なる開閉部材３３の開閉構造であってもよく、例えば、開閉部材３３をスライドさせることによって上部排塵口４が開閉されるように構成してもよい。
【００３１】
［発明の実施の第３別形態］
前述の［発明を実施するための最良の形態］、［発明の実施の第１別形態］及び［発明の実施の第２別形態］においては、コンバインに搭載した脱穀装置１を例に示したが、コンバインに搭載する脱穀装置１に限らず、例えば、刈取部（図示せず）を備えていないハーベスタ（図示せず）に搭載する脱穀装置１においても同様に適用できる。
【図面の簡単な説明】
【００３２】
【図１】コンバインの全体左側面図
【図２】コンバインの全体平面図
【図３】脱穀装置の縦断側面図
【図４】排塵処理室の縦断側面図
【図５】開閉部材の構造を示す横断平面図
【図６】揺動選別装置の駆動構造の概略を示す平面図
【符号の説明】
【００３３】
１        脱穀装置
４        上部排塵口
６        グレンパン
７        チャフシーブ
１４      回転ファン
３３      開閉部材
Ａ        扱室
Ｂ        揺動選別装置
Ｄ        排塵処理室
【図１】
2008048620.tif 000003
【図２】
2008048620.tif 000004
【図３】
2008048620.tif 000005
【図４】
2008048620.tif 000006
【図５】
2008048620.tif 000007
【図６】
2008048620.tif 000008